(57)【要約】【課題】  ゲーム操作の容易化を図り得るゲーム牌を提供する。【解決手段】  麻雀牌１は、多数、例えば１３６個のうちの一部であり、短辺側の２側面２に指引掛け用の凹部３が設けられている。この凹部３は、文字及び図柄が表記される表記面４との境界にある縁５から表記面４とその反対側の面６との間の位置までに縦溝状に形成されている。【選択図】      図１
0003111298.tif 000002
【実用新案登録請求の範囲】
【請求項１】
ゲーム牌の文字又は図柄の表記面に繋がる４側面における短辺側の２側面及び長辺側の２側面のうちの少なくとも一方に、滑り止め手段が設けられていることを特徴とするゲーム牌。
【請求項２】
請求項１に記載のゲーム牌において、前記短辺側の２側面に設けられた前記滑り止め手段が、指引掛け用の凹部及び指引掛け部材のうちの少なくとも一方であることを特徴とするゲーム牌。
【請求項３】
請求項２に記載のゲーム牌において、前記凹部は前記表記面との境界にある縁とほぼ平行な横溝状に設けられることを特徴とするゲーム牌。
【請求項４】
請求項２に記載のゲーム牌において、前記凹部は前記表記面との境界にある縁から表記面とその反対側の面との間の位置までに縦溝状に設けられることを特徴とするゲーム牌。
【請求項５】
請求項２に記載のゲーム牌において、前記指引掛け部材がゴムにより形成されていることを特徴とするゲーム牌。
【請求項６】
請求項１に記載のゲーム牌において、前記長辺側の２側面に設けられた前記滑り止め手段が、表記面を揃えて並べた状態で相互に隣り合うゲーム牌どうしの滑り止め用の凹部及び凸部並びに滑り止め部材のうちの少なくとも一方であることを特徴とするゲーム牌。
【請求項７】
請求項６に記載のゲーム牌において、前記凹部及び凸部は、相互に隣り合うもの同士で凹部に凸部が入込むように構成されていることを特徴とするゲーム牌。
【請求項８】
請求項６に記載のゲーム牌において、前記滑り止め部材が該当側面から突出した状態でゴムにより形成されていることを特徴とするゲーム牌。
【考案の詳細な説明】
【技術分野】
【０００１】
本考案は、麻雀などのゲームに用いられるゲーム牌に関する。
【背景技術】
【０００２】
上述した麻雀は、近年、高齢者の間においても思考力や指先の増強を図ってぼけ防止のために行われている。その麻雀に用いる麻雀牌は、直方体状であって、文字及び図柄が刻まれて表記される面を除き平滑に形成されている。
【考案の開示】
【考案が解決しようとする課題】
【０００３】
ところで、上記麻雀牌においては、文字及び図柄が刻まれる表記面に繋がる４側面が平滑で滑り易く形成されているため、例えばゲームを開始する前であって上下２段に麻雀牌を積み重ねる際に、上段に重ねるべく一列に例えば十数個配列させた麻雀牌を両側から押し付けると配列の途中部分が滑って崩れ易い。また、ゲームを開始して麻雀牌の短辺側側面を掴むとき、掴み難く、ゲーム操作が行い難いという難点があった。このことは、特に高齢者において顕著であった。
【０００４】
本考案は、このような従来技術の課題を解決するためになされたもので、ゲーム操作の容易化を図り得るゲーム牌を提供することを目的とする。
【課題を解決するための手段】
【０００５】
請求項１の考案に係るゲーム牌は、ゲーム牌の文字又は図柄の表記面に繋がる４側面における短辺側の２側面及び長辺側の２側面のうちの少なくとも一方に、滑り止め手段が設けられていることを特徴とする。
【０００６】
請求項２の考案に係るゲーム牌は、請求項１に記載のゲーム牌において、前記短辺側の２側面に設けられた前記滑り止め手段が、指引掛け用の凹部及び指引掛け部材のうちの少なくとも一方であることを特徴とする。
【０００７】
請求項３の考案に係るゲーム牌は、請求項２に記載のゲーム牌において、前記凹部は前記表記面との境界にある縁とほぼ平行な横溝状に設けられることを特徴とする。
【０００８】
請求項４の考案に係るゲーム牌は、請求項２に記載のゲーム牌において、前記凹部は前記表記面との境界にある縁から表記面とその反対側の面との間の位置までに縦溝状に設けられることを特徴とする。
【０００９】
請求項５の考案に係るゲーム牌は、請求項２に記載のゲーム牌において、前記指引掛け部材がゴムにより形成されていることを特徴とする。
【００１０】
請求項６の考案に係るゲーム牌は、請求項１に記載のゲーム牌において、前記長辺側の２側面に設けられた前記滑り止め手段が、表記面を揃えて並べた状態で相互に隣り合うゲーム牌どうしの滑り止め用の凹部及び凸部並びに滑り止め部材のうちの少なくとも一方であることを特徴とする。
【００１１】
請求項７の考案に係るゲーム牌は、請求項６に記載のゲーム牌において、前記凹部及び凸部は、相互に隣り合うもの同士で凹部に凸部が入込むように構成されていることを特徴とする。
【００１２】
請求項８の考案に係るゲーム牌は、請求項６に記載のゲーム牌において、前記滑り止め部材が該当側面から突出した状態でゴムにより形成されていることを特徴とする。
【考案の効果】
【００１３】
本考案による場合には、表記面に繋がる４側面における短辺側の２側面及び長辺側の２側面のうちの少なくとも一方に滑り止め手段が設けられているので、容易に滑るのを防止してゲーム操作の容易化を図り得る。
【００１４】
請求項２の考案による場合には、短辺側の２側面に、指引掛け用の凹部及び指引掛け部材のうちの少なくとも一方が設けられているので、容易に滑るのを防止してゲーム牌を指で掴み易くすることができる。
【００１５】
請求項３の考案による場合には、短辺側の２側面に、表記面との境界にある縁とほぼ平行な横溝状に凹部が設けられているので、その凹部に指が引っ掛かり易くなる。
【００１６】
請求項４の考案による場合には、短辺側の２側面に、表記面との境界にある縁から表記面とその反対側の面との間の位置までに縦溝状の凹部が設けられているので、その凹部の上端に指が引っ掛かり易くなる。
【００１７】
請求項５の考案による場合には、短辺側の２側面に、ゴムからなる指引掛け部材が形成されているので、その指引掛け部材に指が引っ掛かり易くなる。
【００１８】
請求項６の考案による場合には、長辺側の２側面に、滑り止め用の凹部及び凸部並びに滑り止め部材のうちの少なくとも一方が設けられているので、表記面を揃えて並べた状態で相互に隣り合うゲーム牌どうしが滑るのを防止することができ、ゲーム開始前にゲーム牌を二段重ねする際に、上段となる配列されたゲーム牌の隣り合うもの同士が滑り難くなり、結果として配列されたゲーム牌の途中部分が崩れ難くなる結果、ゲーム操作の容易化を図り得る。
【００１９】
請求項７の考案による場合には、長辺側の２側面に、相互に隣り合うもの同士で凹部に凸部が入込むように凹部及び凸部が設けられているので、二段重ねの上段となる配列されたゲーム牌の隣り合うもの同士が滑り難くなる。
【００２０】
請求項８の考案による場合には、長辺側の２側面に、該当側面から突出した状態でゴムからなる滑り止め部材が形成されているので、二段重ねの上段となる配列されたゲーム牌の隣り合うもの同士が滑り難くなる。
【考案を実施するための最良の形態】
【００２１】
以下に、本考案に係るゲーム牌として、麻雀牌を例に挙げて具体的に説明する。
【００２２】
（第１実施形態）
図１は本考案の第１実施形態に係る麻雀牌を示す図であり、（ａ）は３つの麻雀牌の長辺側側面を接触するように並べた状態を示す平面図、（ｂ）はその３つの麻雀牌を示す正面図、（ｃ）は（ｂ）のＡ−Ａ線による断面図である。
【００２３】
この麻雀牌１は、多数、例えば１３６個のうちの一部であり、短辺側の２側面２に指引掛け用の凹部３が設けられている。この凹部３は、図１（ｃ）に示すように、文字及び図柄が表記される表記面４との境界にある縁５から表記面４とその反対側の面６との間の位置までに縦溝状に形成されている。
【００２４】
よって、この麻雀牌１による場合には、麻雀牌１を指で掴むときに、凹部３の上端に指が引っ掛かり易くなり、容易に滑るのを防止して麻雀牌１を指で掴み易くすることができ、ゲーム操作の容易化を図り得る。
【００２５】
（第２実施形態）
図２は本考案の第２実施形態に係る麻雀牌を長辺側の側面から見た図である。
【００２６】
この麻雀牌１１は、短辺側の２側面１２に、表記面４との境界にある縁５と平行に指引掛け用の凹部１３が設けられている。この凹部１３は、表記面４とその反対側の面６との中間位置に、長辺側の２側面１４に達する状態に形成されている。
【００２７】
よって、この麻雀牌１１による場合には、麻雀牌１１を指で掴むときに、凹部１３に指が引っ掛かり易くなり、容易に滑るのを防止して麻雀牌１１を指で掴み易くすることができ、ゲーム操作の容易化を図り得る。
【００２８】
なお、上記凹部１３は、縁５と完全に平行でなくてもよく、少し傾くように形成してもよい。また、上記凹部１３は、１つだけでなく、２以上設けるようにしてもよい。
【００２９】
（第３実施形態）
図３は本考案の第３実施形態に係る麻雀牌を短辺側の側面から見た図である。
【００３０】
この麻雀牌２１は、短辺側の２側面２２に、指引掛け部材２３が設けられている。この指引掛け部材２３は、短辺側の２側面２２に横長の溝２４を縦３列に形成し、それら溝２４のそれぞれに細長いゴム２５を埋め込んで接着することで形成されており、ゴム２５が短辺側の側面２２とほぼ面一になっている。ゴム２５を側面２２とほぼ面一にする理由は、この側面２２が、ゲーム開始後に麻雀牌を立てるときに底面となり、外側への突出量によっては麻雀牌が立ち難くなるからである。
【００３１】
よって、この麻雀牌２１による場合には、麻雀牌２１を指で掴むときに、そのゴムからなる指引掛け部材２３に指が引っ掛かり易くなり、容易に滑るのを防止して麻雀牌２１を指で掴み易くすることができ、ゲーム操作の容易化を図り得る。
【００３２】
なお、上記指引掛け部材は、横長の溝を縦３列で形成しているが、横長の溝を１以上の任意の列で形成し、その溝にゴムなどを埋め込む構成としてもよく、溝の方向も横長でなく縦長或いはＶ字状などにしてもよい。
【００３３】
また、上述した第１〜第３実施形態においては、麻雀牌の短辺側の２側面に指引掛け用の凹部、指引掛け部材等の一つを設けているが、本考案はこれに限らない。麻雀牌の短辺側の２側面に指引掛け用の凹部と指引掛け部材との両方を設けるようにしてもよい。
【００３４】
（第４実施形態）
図４（ａ）は本考案の第４実施形態に係る麻雀牌を長辺側の側面から見た図であり、同（ｂ）はその麻雀牌を長辺同士を接触するように配置した場合の平面図である。
【００３５】
この麻雀牌３１は、長辺側の２側面３２に、表記面４を揃えて並べた状態で相互に隣り合う麻雀牌３１どうしの滑り止め用の凹部３３及び凸部３４が設けられている。これら凹部３３及び凸部３４は、表記面４を揃えて並べた状態において、相互に隣り合うもの同士で凹部３３に凸部３４が入込むように配置され、例えば図４（ｂ）に示す右側の麻雀牌３１ａが１８０゜回転した状態でも、相互に隣り合うもの同士で凹部３３に凸部３４が入込むようになっている。
【００３６】
よって、この麻雀牌３１による場合には、ゲーム開始前に麻雀牌３１を二段重ねする際に、上段となる配列された麻雀牌３１の隣り合うもの同士が滑り難くなり、結果として配列された麻雀牌３１の途中部分が崩れ難くなる結果、ゲーム操作の容易化を図り得る。
【００３７】
（第５実施形態）
図５は本考案の第５実施形態に係る麻雀牌を長辺側の側面から見た図である。
【００３８】
この麻雀牌４１は、長辺側の２側面４２に、ゴム製の滑り止め部材４３が設けられている。この滑り止め部材４３は、表記面４を揃えて並べた状態において、相互に隣り合うもの同士の滑り止め部材４３が接触するように貼着等により設けられている。
【００３９】
よって、この麻雀牌４１による場合には、ゲーム開始前に麻雀牌４１を二段重ねする際に、上段となる配列された麻雀牌４１の隣り合うもの同士が滑り難くなり、結果として配列された麻雀牌４１の途中部分が崩れ難くなる結果、ゲーム操作の容易化を図り得る。
【００４０】
なお、上述した第４、第５実施形態では麻雀牌を立てるときの底面として用いない面を対象としているので、上記凸部３４及び滑り止め部材４３は外側に突出していても支障が少ない。但し、突出量は、可及的に小さい方が掴み易さ等を考慮すると好ましい。
【００４１】
また、上述した第１〜第３実施形態では麻雀牌の短辺側の２側面を対象として、指引掛け用の凹部、指引掛け部材を設け、上述した第４〜第５実施形態では長辺側の２側面を対象として滑り止め用の凹部及び凸部、滑り止め部材を設けているが、本考案はこれに限らない。麻雀牌の短辺側の２側面に、短辺用の指引掛け用凹部、指引掛け部材を設け、同一の麻雀牌の長辺側の２側面に、長辺用の滑り止め用の凹部及び凸部、滑り止め部材を設けるようにしてもよいことは勿論である。
【００４２】
また、上述した説明では麻雀牌を例に挙げているが、本考案はこれに限らず、文字や図柄を一定の関係で揃えてゲームを行う他のゲームに用いられるゲーム牌にも同様に適用することができる。
【図面の簡単な説明】
【００４３】
【図１】本考案の第１実施形態に係る麻雀牌を示す図であり、（ａ）は３つの麻雀牌の長辺側側面を接触するように並べた状態を示す平面図、（ｂ）はその３つの麻雀牌を示す正面図、（ｃ）は（ｂ）のＡ−Ａ線による断面図である。
【図２】本考案の第２実施形態に係る麻雀牌を長辺側の側面から見た図である。
【図３】本考案の第３実施形態に係る麻雀牌を短辺側の側面から見た図である。
【図４】（ａ）は本考案の第４実施形態に係る麻雀牌を長辺側の側面から見た図であり、同（ｂ）はその麻雀牌を長辺同士を接触するように配置した場合の平面図である。
【図５】本考案の第５実施形態に係る麻雀牌を長辺側の側面から見た図である。
【符号の説明】
【００４４】
１、１１、２１、３１、４１    麻雀牌
２、１２、２２    短辺側の側面
３、１３、２３    指引掛け用の凹部
４    表記面
５    境界にある縁
６    表記面の反対側の面
１４、３２、４２    長辺側の側面
２４    溝
２５    ゴム
３３    滑り止め用の凹部
３４    滑り止め用の凸部
４３    滑り止め部材
【図１】
0003111298.tif 000003
【図２】
0003111298.tif 000004
【図３】
0003111298.tif 000005
【図４】
0003111298.tif 000006
【図５】
0003111298.tif 000007